(57)【要約】【課題】散歩中の犬の排便を容易に処理することができ、しかも運動時の障害を極力少なくすることが可能で、犬にとって必要不可欠なマーキング行為も自由に行うことができる犬の糞処理具の提供を目的とする。【解決手段】犬の糞を捕集する給水紙１をネット状のカバー２の内側に重ねて捕集体３を設ける。該捕集体３に尻尾を挿通する挿通孔４を開穿して犬の肛門に給水紙１を当てるように捕集体３を装着する。犬の胴部に巻き付けた固定具５に捕集体３を着脱自在に連結する。前記給水紙１に、肛門の下方で糞を捕集する捕集袋部１Ａを設ける。前記捕集体３のカバー２は、前記固定具５に装着された複数個のクリップ６に着脱自在に連結される。捕集体３のカバー２を、雄犬の排尿を妨げない位置で、且つ雌犬の排尿を透過するように設ける。【選択図】図１
0003122138.tif 000002
【実用新案登録請求の範囲】
【請求項１】
犬の糞を捕集する給水紙をネット状のカバーの内側に重ねて捕集体を設け、該捕集体に尻尾を挿通する挿通孔を開穿して犬の肛門に給水紙を当てるように捕集体を装着し、犬の胴部に巻き付けた固定具に捕集体を着脱自在に連結したことを特徴とする犬の糞処理具。
【請求項２】
前記捕集体は、前記固定具に装着された複数個のクリップに連結され、該捕集体のカバーは犬の排尿を妨げない位置に装着され、前記捕集体の挿通孔に沿って、尻尾に巻き付け固定する紐状の緊締具をカバーに装着した請求項１記載の犬の糞処理具。
【請求項３】
前記給水紙は、肛門の下方で糞を捕集する捕集袋部が設けられ、該給水紙と前記カバーとが一体に接着されている請求項１又は２記載の犬の糞処理具。
【請求項４】
前記捕集体のカバーは、可燃性の材質で形成され、糞捕集後の捕集体をそのまま焼却できるように設けられた請求項１乃至３いずれか記載の犬の糞処理具。
【請求項５】
前記捕集体の給水紙は、水溶性の材質で形成され、糞捕集後の捕集体をそのまま水洗トイレに流せるように設けられた請求項１乃至４いずれか記載の犬の糞処理具。
【考案の詳細な説明】
【技術分野】
【０００１】
本考案は、犬を散歩させているときに生じる犬の糞を直接捕集してそのまま処理することができる犬の糞処理具に関する。
【背景技術】
【０００２】
犬の散歩時に生じる糞の始末について、種々の提案がされている。たとえば、特許文献１や特許文献２には、犬の背中側から腰部ないし臀部に挿脱可能にした逆Ｕ字状の挿入装着部と、位置ずれしないように、犬の首側から臀部側にわたるベルト状の糞収容袋取付具と、この糞収容袋取付具の後端部に取着するようにした糞収容袋とで構成した犬の採糞処理具が記載されている。
【０００３】
また、特許文献３に記載のペット用オムツでは、犬の肛門に対応する位置に貫設された排出孔部を有し犬の尿を吸収するオムツ本体と、オムツ本体の外面に設けられ、排出孔部を介してオムツ本体の内面に連通し、犬の大便を収容する収容空間を形成するポケット体とを備えたオムツが記載されている。
【特許文献１】特許第２９８１４２８号公報
【特許文献２】特許第３０１４３５２号公報
【特許文献３】特開２００５‐３３３９５４
【考案の開示】
【考案が解決しようとする課題】
【０００４】
特許文献１や特許文献２に記載された採糞処理具は、犬の背中側から腰部ないし臀部に装着する挿入装着部のほかに、犬の首輪から臀部側にわたる糞収容袋取付具を装着し、この糞収容袋取付具に糞収容袋を装着するものなので、極めて多くの用具が犬の体に装着されることになる。特に、糞収容袋取付具は、犬の首輪から糞収容袋までつながっているので、犬が走り回るたびに生じる身体の伸縮運動が、常に首輪から糞収容袋にかけて波及し、犬の運動の妨げになる不都合があった。
【０００５】
一方、特許文献３に記載されたペット用オムツによると、犬の尿を吸収するオムツ本体を設け、このオムツ本体に排出孔部を開穿し、この排出孔部から排出される犬の大便を収容するポケット体を設けたものなので、犬の尿も糞も共にオムツで捕集することになる。ところが、犬の尿は、その習性からマーキングとして使用されているので、このマーキング行為ができないようにすることは、犬にとって多くのストレスが生じることになる。このように、このペット用オムツを散歩用に使用することは犬の習性上の不都合が伴うものであった。
【０００６】
そこで、本考案は上述の課題を解消すべく案出されたもので、散歩中の犬の排便を容易に処理することができ、しかも、運動時の障害を極力少なくすることが可能で、犬にとって必要不可欠なマーキング行為も自由に行うことができる犬の糞処理具の提供を目的とするものである。
【課題を解決するための手段】
【０００７】
本考案の第１の手段は、犬の糞を捕集する給水紙１をネット状のカバー２の内側に重ねて捕集体３を設け、該捕集体３に尻尾を挿通する挿通孔４を開穿して犬の肛門に給水紙１を当てるように捕集体３を装着し、犬の胴部に巻き付けた固定具５に捕集体３を着脱自在に連結したことにある。
【０００８】
第２の手段の前記捕集体３は、前記固定具５に装着された複数個のクリップ６に連結され、該捕集体３のカバー２は犬の排尿を妨げない位置に装着され、前記捕集体３の挿通孔４に沿って、尻尾に巻き付け固定する紐状の緊締具７をカバー２に装着したものである。
【０００９】
第３の手段の給水紙１は、肛門の下方で糞を捕集する捕集袋部１Ａが設けられ、該給水紙１と前記カバー２とが一体に接着されている。
【００１０】
第４の手段の捕集体３のカバー２は、可燃性の材質で形成され、糞捕集後の捕集体３をそのまま焼却できるように設けられている。
【００１１】
第５の手段の捕集体３の給水紙１は、水溶性の材質で形成され、糞捕集後の捕集体３をそのまま水洗トイレに流せるように設けたことを課題解消のための手段とする。
【考案の効果】
【００１２】
本考案の請求項１により、捕集体３に尻尾を挿通する挿通孔４を開穿して犬の肛門に給水紙１を当てるように捕集体３を装着し、犬の胴部に巻き付けた固定具５に捕集体３を着脱自在に連結したことで、散歩中の犬の排便を容易に処理することができる。
【００１３】
請求項２により、固定具５に装着された複数個のクリップ６に、捕集体３のカバー２が着脱自在に連結されることから、捕集体３の着脱作業を容易に行うことができる。
【００１４】
また、捕集体３のカバー２は犬の排尿を妨げない位置に装着されているので、犬にとって必要不可欠なマーキング行為を行うことができる。
【００１５】
しかも、捕集体３の挿通孔４に沿って、尻尾に巻き付け固定する紐状の固定具をカバー２に装着することで、捕集体３を犬の尻尾に確実に装着することが可能になる。
【００１６】
請求項３によると、給水紙１に、肛門の下方で糞を捕集する捕集袋部１Ａを設けたことで、排便がどのような状態でされても確実に捕集することが可能である。また、給水紙１とカバー２とが一体に接着されることで、捕集体３の装着作業を容易にし、給水紙１による捕集を確実にすることができる。
【００１７】
請求項４の如く、捕集体３のカバー２を、可燃性の材質で形成し、糞捕集後の捕集体３をそのまま廃棄できるように設けることで、捕集後の糞の始末を簡単にすることができる。
【００１８】
請求項５の如く、捕集体３の給水紙１を、水溶性の材質で形成し、糞捕集後の捕集体３をそのまま水洗トイレに流せるように設けることでも捕集後の糞の始末を簡単にすることができる。
【００１９】
このように本考案によると、散歩中の犬の排便を容易に処理することができ、しかも、運動時の障害を極力少なくすることが可能で、犬にとって必要不可欠なマーキング行為も自由に行うことができるなどといった有益な種々の効果を奏するものである。
【考案を実施するための最良の形態】
【００２０】
本考案の最良の形態は、犬の糞を捕集する給水紙１をネット状のカバー２の内側に重ねて捕集体３を設ける。該捕集体３に尻尾を挿通する挿通孔４を開穿して犬の肛門に給水紙１を当てるように捕集体３を装着する。犬の胴部に巻き付けた固定具５に捕集体３を着脱自在に連結する。前記給水紙１に、肛門の下方で糞を捕集する捕集袋部１Ａを設ける。前記捕集体３のカバー２は、前記固定具５に装着された複数個のクリップ６に着脱自在に連結される。捕集体３のカバー２を、雄犬の排尿を妨げない位置で、且つ雌犬の排尿を透過するように設ける。捕集体３のカバー２を、可燃性の材質で形成し、糞捕集後の捕集体３をそのまま廃棄できるように設ける。捕集体３の挿通孔４に沿って、尻尾に巻き付け固定する紐状の固定具を装着することで当初の目的を達成するものである。
【実施例】
【００２１】
本考案糞処理具は、犬の肛門付近に装着する捕集体３と、この捕集体３を固定する固定具５とで構成されている（図１参照）。
【００２２】
捕集体３は、犬の糞を捕集する給水紙１と、ネット状のカバー２とからなり、カバー２の内側に給水紙１を重ねて捕集体３を設けている。更に、該捕集体３に尻尾を挿通する挿通孔４を開穿して犬の肛門に給水紙１を当てるように捕集体３を装着する。図示例ではカバー２に挿通孔４を設けているが、給水紙１とカバー２とを共に貫通するように挿通孔４を設けることも可能である。そして、この挿通孔４に沿って、尻尾に巻き付け固定する紐状の緊締具７をカバー２に装着することで、捕集体３の固定を確実にする（図２参照）。図示例では、たこ糸状の緊締具７を使用し、尻尾にきつくならない程度に結び付けるものである。この他、ゴム紐状の緊締具７を使用することも可能である。
【００２３】
給水紙１を加工して、肛門の下方で糞を捕集する捕集袋部１Ａを設けると、糞の捕集を確実にすることができる。図示例では、二つ折り状の給水紙１の下部を封着して捕集袋部１Ａを形成しているが、この他、給水紙１全体が一つの袋状を成したり、捕集袋部１Ａにマチ部を設けてより広く形成したりするなど、この給水紙１の形状は任意に変更することができる。また、給水紙１の材質に、水溶性の材質を選択することで、糞捕集後の捕集体３をそのまま水洗トイレに流すことが可能になる。更に、後述するカバー２と給水紙１とを一体に接着することで、給水紙１のずれを防止することもできる。
【００２４】
カバー２は、内側に給水紙１を重ねて捕集体３を形成するもので、犬の胴部に巻き付けた固定具５に、捕集体３のカバー２を着脱自在に連結する。図示の固定具５は、ゴム紐状の弾性体５Ａと、この弾性体５Ａを連結する面ファスナー等の連結体５Ｂとで構成しているが（図１参照）、図示例に限られるものではなく、他の部材に変更することも可能である。そして、この固定具５に装着された複数個のクリップ６にカバー２を着脱自在に連結するものである。このとき、クリップ６に連結したカバー２を強制的に引っ張ることで、クリップ６から簡単に外れるように設けると、使用後の捕集体３を固定具５から外す作業が容易になる。
【００２５】
捕集体３のカバー２は、犬の排尿を妨げない位置に装着されている。図示例では、雄犬の排尿を妨げない位置で、且つ雌犬の排尿を透過するように設けている（図３参照）。すなわち、雄犬に装着したときは、捕集体３が排尿部まで届かないようにし、雌犬に装着したときは、排尿部を覆うことになるが、網目状のカバー２から尿を透過できる位置にカバー２のみを配置している。また、固定具５の装着位置やクリップ６の長さ等を調整して雌雄いずれの犬でも排尿を妨げないようにすることも可能である。更に、捕集体３のカバー２を、可燃性の材質で形成することで、糞捕集後の捕集体３をそのまま廃棄することができる。
【００２６】
本考案の使用方法は、まず犬の胴体に固定具５を巻き付けて装着する。次に、捕集体３の挿通孔４に犬の尻尾を通して肛門付近まで配置し、固定具５のクリップ６で捕集体３のカバー２を連結する。そして最後に緊締具７を尻尾に縛り付けて捕集体３を固定するものである。散歩の際は、犬の自由な運動が可能になり、排尿やマーキング行為の妨げにならずに済む。犬の排便時には、捕集体３の給水紙１に糞が捕集されているので、カバー２ごとクリップ６から取り外し、そのまま廃棄するか、あるいはカバー２から給水紙１を外して水洗式トイレ等に廃棄するものである。  
【００２７】
尚、本考案における図示例の各構成は、本考案の一実施例に過ぎず、給水紙１やカバー２、あるいは固定具５やクリップ６の材質や形状など、本考案の要旨を変更しない範囲において自由に変更することができるものである。
【図面の簡単な説明】
【００２８】
【図１】本考案の一実施例を示す分解斜視図である。
【図２】本考案の捕集体３の一実施例を示す後面図である。
【図３】本考案の使用状態を示す斜視図である。
【符号の説明】
【００２９】
１  給水紙
１Ａ  捕集袋部
２  カバー
３  捕集体
４  挿通孔
５  固定具
５Ａ  弾性体
５Ｂ  連結体
６  クリップ
７  緊締具
【図１】
0003122138.tif 000003
【図２】
0003122138.tif 000004
【図３】
0003122138.tif 000005